(57)【特許請求の範囲】
【請求項１】
複数の連結管が長さ方向に伸縮自在に結合され、複数の連結管のうち径の大きい上部連結管（２）に軸方向に伸縮自在に挿入された径の小さい下部連結管（４）をロック又は解除可能な杖であって、
半径方向左右両側が切開部（２２２）として切開されて上部と下部にそれぞれ上部弧形把持片（２２０）と下部弧形把持片（２３０）が独立して形成され、上部弧形把持片（２２０）及び下部弧形把持片（２３０）それぞれの左右両側に押圧部（２２４，２３４）が外延されて、前記上部連結管（２）の端部に固定される把持用チューブ（２００）；
前記上部弧形把持片（２２０）及び下部弧形把持片（２３０）の対向する左右両側の押圧部（２２４，２３４）にそれぞれ上下方向に貫通する形態で組み立てられる作動ピン（３００）；及び
杖の長さ方向に延長される形態の押圧板（４１０）と、押圧板（４１０）の端部に形成されて前記左右作動ピン（３００）の上部突出端部に杖の長さ方向に回動される状態でヒンジ結合されるカム型ヒンジ部（４２０）を有する軸方向レバー（４００）を含むことを特徴とする、軸方向レバー操作型ロック装置を具備する杖。
【請求項２】
前記作動ピン（３００）は、前記把持用チューブ（２００）の押圧部（２２４，２３４）の貫通孔（２２６）に上下方向に滑動自在に挿入され、上端部に軸方向レバー（４００）がヒンジ結合する上部ピン（３１０）と、前記押圧部（２２４，２３４）の貫通孔（２２６）に下方から上方へ挿入されて前記上部ピン（３１０）とネジ結合され、頭部（３２４）が下部押圧部（２３４）に掛かる調節ネジ（３２０）からなることを特徴とする、請求項１に記載の軸方向レバー操作型ロック装置を具備する杖。
【請求項３】
前記把持用チューブ（２００）の上下押圧部（２２４，２３４）間の切開部（２２２）には、前記調節ネジ（３２０）の外周を保持して緩みを防止するための緩み防止具（５００）が固定設置されることを特徴とする、請求項２に記載の軸方向レバー操作型ロック装置を具備する杖。
【請求項４】
前記緩み防止具（５００）は、下部押圧部（２３４）の上面に固定されるベース（５１０）と、前記ベース（５１０）の中間に形成されて前記調節ネジ（３２０）の外周面を弾性加圧する複数の弾性片（５２０）を含むことを特徴とする、請求項３に記載の軸方向レバー操作型ロック装置を具備する杖。
【請求項５】
前記把持用チューブ（２００）の上下部弧形把持片（２２０，２３０）と胴部（２１０）との間の左右側には、切欠溝（２１２）が形成されることを特徴とする、請求項１に記載の軸方向レバー操作型ロック装置を具備する杖。
【請求項６】
複数の連結管が長さ方向に伸縮自在に結合され、複数の連結管のうち径の大きい上部連結管（２）に軸方向に伸縮自在に挿入された径の小さい下部連結管（４）をロック又は解除可能な杖であって、
上部連結管（２）の端部に結合される胴部（２１０）と、胴部（２１０）から延長され、半径方向左右両側が切開部（２２２）として切開されて上部と下部にそれぞれ独立して形成される上部弧形把持片（２２０）と下部弧形把持片（２３０）と、上部弧形把持片（２２０）及び下部弧形把持片（２３０）それぞれの左右両側に外延される押圧部（２２４，２３４）を含み、前記左右両側の押圧部（２２４，２３４）を上下に貫通する貫通孔（２２６，２３６）が形成されている把持用チューブ（２００）；
前記両側の押圧部（２２４，２３４）の貫通孔（２２６，２３６）にそれぞれ上下方向に挿入される作動ピン（３００）；と
杖の長さ方向に延長される形態の押圧板（４１０）と、押圧板（４１０）から延長されて前記両側の作動ピン（３００）の上部突出端部に杖の長さ方向に回動されるようにヒンジ結合されるカム型ヒンジ部（４２０）を有する軸方向レバー（４００）を含むことを特徴とする、軸方向レバー操作型ロック装置を具備する杖。
【請求項７】
前記作動ピン（３００）は、前記把持用チューブ（２００）の押圧部（２２４，２３４）の貫通孔（２２６）に上下方向に滑動自在に挿入され、上端部に軸方向レバー（４００）がヒンジ結合する上部ピン（３１０）と、前記押圧部（２２４，２３４）の貫通孔（２２６）に下方から上方に挿入されて前記上部ピン（３１０）とネジ結合され、頭部（３２４）が下部押圧部（２３４）に掛かる調節ネジ（３２０）からなることを特徴とする、請求項６に記載の軸方向レバー操作型ロック装置を具備する杖。
【請求項８】
前記把持用チューブ（２００）の上下押圧部（２２４，２３４）間の切開部（２２２）には、前記調節ネジ（３２０）の外周を保持して緩みを防止するための緩み防止具（５００）が固定設置されることを特徴とする、請求項７に記載の軸方向レバー操作型ロック装置を具備する杖。
【請求項９】
前記緩み防止具（５００）は、下部押圧部（２３４）の上面に固定されるベース（５１０）と、前記ベース（５１０）の中間に形成されて前記調節ネジ（３２０）の外周面を弾性加圧する複数の弾性片（５２０）を含むことを特徴とする、請求項８に記載の軸方向レバー操作型ロック装置を具備する杖。
【請求項１０】
前記把持用チューブ（２００）の上下部弧形把持片（２２０，２３０）と胴部（２１０）との間の左右側には、切欠溝（２１２）が形成されることを特徴とする、請求項６に記載の軸方向レバー操作型ロック装置を具備する杖。
【発明の詳細な説明】
【技術分野】
【０００１】
本発明は、軸方向レバー操作型ロック装置を具備する杖に関し、より詳細には、ロックレバーを杖の長さ方向に配置し、連結管の径方向左右両側から締付力を加えるようにすることにより、操作力は少なくかかり、ロック力は増大し、かつロック力の微調整も可能にする軸方向レバー操作型ロック装置を具備する杖に関する。
【背景技術】
【０００２】
一般に、杖は、登山、スポーツ競技又は患者の歩行補助用等のように、使用者の身体を支える補助手段として使用される。こうした杖は、ポールの端部にハンドルを具備した形態からなる。ポールは、通常、複数の連結管を互いに挿入、結合して、保管時や使用時にいわゆる“テレスコピック方式”や“アンテナ方式”により長さ方向に伸縮することができるようになっている。
【０００３】
杖のロック装置は、連結管を伸長させた状態や短縮させた状態で隣り合う２つの連結管をロックするようにする機構であり、図１〜図３には、女性や高齢者も苦労せず操作することができるようにした従来のレバー式ロック装置が図示されている。
【０００４】
図１〜図３に示されたところのように、従来のレバー式ロック装置１０は、径の大きい上部連結管２の端部に設置され、カムレバー４０の操作により把持環２０を窄めて径の小さい下部連結管４を締めて固定するようになっている。
【０００５】
ロック装置１０の把持環２０は、円周方向の一方のみが切開部２２により上下に分けられ、切開部２２の上下部に延長板２４が形成されており、上下の延長板２４には作動ピン３０が貫通し、作動ピン３０にはカムレバー４０がヒンジピン５０により連結され、カムレバー４０にはカム面４２が形成された形態からなっている。
【０００６】
このようなロック装置１０について図３を参照しつつ説明すると、カムレバー４０を把持環２０側に押すことにより、カム面４２が回転しながら作動ピン３０を引くことになり、作動ピン３０により上・下部延長板２４が引かれながら把持環２０を締めるようになり、下部連結管４を加圧して固定するようになる。
【０００７】
ところで、従来のロック装置１０は、カムレバー４０が連結管２，４の径方向に回動するようになっており、カムレバー４０の形状は、連結管２，４の円弧形状に沿って曲がった形態からならざるを得ない。
【０００８】
そのため、カムレバー４０の長さ全体を延長するには限界があり、十分なロック力を発揮できず、ロック時には大きな力を必要とするようになるため、高齢者や女性が操作することが容易ではない。特に、図２から分かるように、カムレバー４０の端点とヒンジピン５０の位置関係、及びカムレバー４０が円弧形状である点に起因して、カムレバー４０の端部を押してもロックする力がまったく伝達されない。したがって、カムレバー４０をロックするために押すべき部分がカムレバー４０の中間地点に形成されるため、梃として作用する長さが非常に短くなり、レバー型ロック装置の長所である梃の効果を十分に発揮することができない。
【０００９】
また、把持環２０の一方のみが切開され、切開された側でのみ把持環２０を締める形態であるため、下部連結管４を加圧する力が円周全体にわたって均一に作用することができない。また、把持環２０の円弧の長さがあまりに長いため、下部連結管４を加圧する際に把持環２０が伸びやすい。したがって、把持環２０を強く締めることができず、ロック力を十分に与えることができず、繰返しの使用によりロック力が急激に低下する。
また、図３から分かるように、カムレバー４０をロックしたときに、カム面４２と延長板２４との接触地点が把持環２０の中心から半径方向に遠く離れているので、上下部延長板２４を引く力が把持環２０に伝達される前に過度に失われる。
【先行技術文献】
【特許文献】
【００１０】
【特許文献１】特開2011-240111号公報
【特許文献２】特開2010-088871号公報
【特許文献３】特開2005-278943号公報
【発明の概要】
【発明が解決しようとする課題】
【００１１】
本発明は、前記した従来の問題を解決するためのものであり、本発明の目的は、大きな操作力を必要とせず、ロック力を大幅に増大させることができ、繰返し使用にも長期間耐久性を維持することができるようにする軸方向レバー操作型ロック装置を具備する杖を提供することにある。
【００１２】
本発明の他の目的は、ロック力の微調整も可能にすることにある。
【課題を解決するための手段】
【００１３】
上述した目的を達成するために、複数の連結管が長さ方向に伸縮自在に結合され、複数の連結管のうち径の大きい上部連結管に軸方向に伸縮自在に挿入された径の小さい下部連結管をロック又は解除可能な杖であって、半径方向左右両側が切開部として切開されて上部と下部にそれぞれ上部弧形把持片と下部弧形把持片が独立して形成され、上部弧形把持片及び下部弧形把持片それぞれの左右両側に押圧部が外延されて、前記上部連結管の端部に固定される把持用チューブ；前記上部弧形把持片及び下部弧形把持片の対向する左右両側の押圧部にそれぞれ上下方向に貫通する形態で組み立てられる作動ピン；及び、杖の長さ方向に延長される形態の押圧板と、押圧板の端部に形成されて前記左右作動ピンの上部突出端部に杖の長さ方向に回動される状態でヒンジ結合されるカム型ヒンジ部を有する軸方向レバーを含むことを特徴とする。
【００１４】
本発明の他の方向による軸方向レバー操作型ロック装置を具備する杖は、複数の連結管が長さ方向に伸縮自在に結合され、複数の連結管のうち径の大きい上部連結管に軸方向に伸縮自在に挿入された径の小さい下部連結管をロック又は解除可能な杖であって、上部連結管の端部に結合される胴部と、胴部から延長され、半径方向左右両側が切開部として切開されて上部と下部にそれぞれ独立して形成される上部弧形把持片及び下部弧形把持片と、上部弧形把持片及び下部弧形把持片それぞれの左右両側に外延される押圧部を含み、前記左右両側の押圧部を上下に貫通する貫通孔が形成されている把持用チューブ；前記両側の押圧部の貫通孔にそれぞれ上下方向に挿入される作動ピン；及び、杖の長さ方向に延長される形態の押圧板と、押圧板から延長されて前記両側の作動ピンの上部突出端部に杖の長さ方向に回動されるようにヒンジ結合されるカム型ヒンジ部を有する軸方向レバーを含むことを特徴とする。
【００１５】
作動ピンは、前記把持用チューブの押圧部の貫通孔に上下方向に滑動自在に挿入され、上端部に軸方向レバーがヒンジ結合する上部ピンと、前記押圧部の貫通孔に下方から上方へ挿入されて前記上部ピンとねじ結合され、頭部が下部押圧部に掛かる調節ネジからなることが好ましい。
【００１６】
前記把持用チューブの上下押圧部間の切開部には、前記調節ネジの外周を保持して緩みを防止するための緩み防止具を固定して設置することが好ましい。
【００１７】
ここで、緩み防止具は、下部押圧部の上面に固定されるベースと、前記ベースの中間に形成されて前記調節ネジの外周面を弾性加圧する複数の弾性片を含む。
【００１８】
前記把持用チューブの上下部弧形把持片と胴部との間の左右側には、切欠溝が形成される。
【発明の効果】
【００１９】
本発明に係る軸方向レバー操作型ロック装置を具備する杖によれば、軸方向レバーが杖の長さ方向に配置された構造であり、梃の作用をする軸方向レバーの長さを必要な長さに延長して、少ない力で高いロック力を得ることができる。また、軸方向レバーの延長形態も、力の作用方向に屈曲せず、軸方向レバーに作用した力が把持用チューブに損失なく完全に伝達される。
【００２０】
また、把持用チューブが上部弧形把持片と下部弧形把持片により上下部に２つの要素に分割される一方、軸方向レバーのカムが連結管の径方向左右両側において作動ピンを引いて上下の弧形把持片を締める形態からなっていてロック力が一層増大し、増大したロック力は連結管の外周面全体にバランスよく均一に作用する。
【００２１】
また、連結管に接する上部弧形把持片と下部弧形把持片それぞれの円弧の長さが従来の半分程度に短くなるため、ロック力を大きく加えても簡単に伸びず、それによりロック力を十分に増大させることができ、耐久性も大幅に向上する。
【００２２】
また、作動ピンと押圧部が連結管の径方向両側に配置される一方、カム面が杖の長さ方向に回動する構造であるため、力の作用点が従来に比べて連結管の中心軸により近く位置するようになってロック力をさらに増大させることができ、ロック力が増大しても押圧部が変形するおそれがない。
【００２３】
また、上部ピンと調節ネジのネジ結合により作動ピンの長さを増減させることができるため、必要に応じてロック力を調節できる利便性がある。
【図面の簡単な説明】
【００２４】
【図１】従来の杖のロック装置を示した斜視図である。
【図２】従来の杖のロック装置の解除状態を示した側面図である。
【図３】従来の杖のロック装置のロック状態を示した側面図である。
【図４】本発明の一実施例に係る杖のロック装置の斜視図である。
【図５】本発明の一実施例に係る杖のロック装置の分離斜視図である。
【図６】図４のＡ‐Ａ線による断面図である。
【図７】本発明の一実施例に係る杖のロック装置の解除状態を示した図である。
【図８】図７の側面図である。
【図９】本発明の一実施例に係る杖のロック装置のロック状態を示した図である。
【図１０】図９の側面図である。
【図１１】本発明の一実施例に係るロック装置を適用した杖の一例を示す図である。
【図１２】本発明の他の実施例に係るロック装置を示した図である。
【図１３】図１２の緩み防止具を詳細に示した図である。
【図１４】緩み防止具を適用して組み立てた状態の断面図である。
【発明を実施するための形態】
【００２５】
以下、添付図面を参照しつつ、本発明の好適な実施例について具体的に説明する。
【００２６】
図４〜図６に示したところのように、本発明の杖は、径の大きい上部連結管２の端部にロック装置１００を設置し、ロック装置１００の軸方向レバー４００を回動させて径の小さい下部連結管４を固定又は解除するようになっている。
【００２７】
ロック装置１００は、半径方向左右両側が切開部２２２として切開されて上部と下部にそれぞれ上部弧形把持片２２０と下部弧形把持片２３０が独立して形成される把持用チューブ２００と、上部弧形把持片２２０と下部弧形把持片２３０の両側を上下方向に貫通して設置される作動ピン３００，３００と、作動ピン３００，３００に結合されて杖の長さ方向に回動する軸方向レバー４００を含む。
【００２８】
把持用チューブ２００の上部弧形把持片２２０と下部弧形把持片２３０は、胴部２１０から延長され、胴部２１０は、上部連結管２に結合されて固定される。胴部２１０と弧形把持片２２０，２３０との間の左右両側には、切欠溝２１２が形成され、それにより弧形把持片２２０，２３０がより良好に伸縮することができる。
【００２９】
把持用チューブ２００の上部弧形把持片２２０及び下部弧形把持片２３０の左右両側にはそれぞれ押圧部２２４，２３４が外延され、押圧部２２４，２３４には貫通孔２２６，２３６が上下方向に形成される。
【００３０】
作動ピン３００は、押圧部２２４，２３４の貫通孔２２６，２３６に下方から上方へ挿入され、上端部が上部押圧部２２４の上側に突出される。作動ピン３００の突出端部にはカム形態の軸方向レバー４００がヒンジ結合される。作動ピン３００は、軸方向レバー４００のカム方式の回動と組み合わせて、上下方向に移動することにより、上下押圧部２２４，２３４を締めたり解いたりする。
【００３１】
作動ピン３００は、長さの変化を可能にしてロック力を調節することができる形態で構成することが好ましい。このため、作動ピン３００は、上部ピン３１０と調節ネジ３２０に分割されて、互いにネジ結合された形態で構成していてもよい。上部ピン３１０及び調節ネジ３２０は、ネジ部３１４（図６参照）と、ネジ部３２２によって結合される。ネジ部３１４，３２２の調節により作動ピン３００の全体長さを変化させると、押圧部２２４，２３４の締付量、すなわち締付力が増減される。調節ネジ３２０の頭部３２４は、下部押圧部２３４に密着する。調節ネジ３２０の頭部３２４と押圧部２３４との間にはワッシャ３３０を介在していてもよい。
【００３２】
作動ピン３００の上部突出端部、すなわち上部ピン３１０の突出端部には、軸方向レバー４００のヒンジ結合のためのヒンジ孔３１２が形成される。
【００３３】
軸方向レバー４００は、押圧板４１０が杖の長さ方向に延長される形態からなる。押圧板４１０は、上部連結管２の外周面に適切に覆われるように横断面が弧形からなる。押圧板４１０の端部にはカム型ヒンジ部４２０が形成され、カム型ヒンジ部４２０には、結合孔４２４が形成され、結合孔４２４の周辺にカム面４２２が凸状に形成される。
【００３４】
カム型ヒンジ部４２０の結合孔４２４と作動ピン３００のヒンジ孔３１２には、ヒンジピン３４０が滑動回転可能に挿入される。ヒンジピン３４０の組立性のために、ヒンジピン３４０の通過端部には固定ネジ３５０を締結する形で構成してもよい。
【００３５】
このように構成される本発明は、軸方向レバー４００を杖の長さ方向に配置した形態であり、梃の作用をする軸方向レバー４００の長さを必要なだけ長く延長することができ、軸方向レバー４００の延長形態も力の作用方向に曲げられずに軸方向にまっすぐ延長した形態であるため、軸方向レバー４００に作用した力が弧形把持片２２０，２３０に完全に伝達されるので、女性や高齢者も苦労せずにロック又は解除することができるように構成することができる。
【００３６】
また、把持用チューブ２００が上部弧形把持片２２０と下部弧形把持片２３０により上下に２つの半円形要素に分割される一方、軸方向レバー４００のカムが径方向左右両側において作動ピン３００を引いて上下部弧形把持片２２０，２３０を締める形態からなっているため、連結管４の外周面をバランスよく均一な力で圧迫することができ、ロック力も一層増大される。
【００３７】
また、連結管４と接する上部弧形把持片２２０と下部弧形把持片２３０それぞれの円弧の長さが短く（従来の約半分水準）、ロック力を大きく加えても簡単に伸びないので、ロック力を十分に増大させることができ、耐久性も向上する。
【００３８】
また、作動ピン３００と押圧部２２４，２３４が径方向両側に配置される一方、カム面４２２が杖の長さ方向に回動する構造により、力の作用点が従来に比べて連結管２，４の中心軸により近く位置するようになってロック力をより一層増大させることができ、ロック力が増大しても押圧部２２４，２３４が変形するおそれがない。
【００３９】
また、上部ピン３１０と調節ネジ３２０のネジ結合により作動ピン３００の長さを増減させてロック力を調節することができる利便性がある。
【００４０】
図７〜図１０は本発明に係る杖のロック状態と解除状態を示した図である。図７〜図１０を通じ、杖をロックし、解除する方法について簡略に説明する。
【００４１】
まず、図７及び図８に示されたところのように、軸方向レバー４００を持ち上げた状態では、カム型ヒンジ部４２０のカム面４２２が上部押圧部２２４から外れるようになって上下部押圧部２２４，２３４が元のとおり広げられ、上下部弧形把持片２２０，２３０と下部連結管４との間に隙間が生じて下部連結管４が自由となるため、上部連結管２内に下部連結管４を押し込んだり、引き抜いたりすることができる。
【００４２】
図７及び図８において、軸方向レバー４００を矢印方向（ロック方向）に回動させると、図９及び図１０のような状態となる。すなわち、軸方向レバー４００のカム面４２２が作動ピン３００の中心軸と一致する状態で回転しながら作動ピン３００を引いて上下押圧部２２４，２３４を狭め、それにより上下部弧形把持片２２０，２３０が下部連結管４の周囲を加圧してロックするようになる。
【００４３】
図１１は、本発明に係るロックを適用した杖の構成例を示した図である。
【００４４】
図１１に示されたところのように、杖は複数個の連結管２，４，６，…からなるが、隣り合う連結管のうち径が大きいものを“上部連結管”といい、径が小さいものを“下部連結管”という。
【００４５】
杖は、連結管の連結部のうち一つ以上の地点に、本発明に係るロック装置１００を自由に適用していてもよい。図１１のように、連結管が３段からなる場合には、１〜２段の上部連結管２と下部連結管４には本発明のロック装置１００を適用し、２〜３段の上部連結管４と下部連結管６には、通常のボタン型ロック装置１０１を適用していてもよい。又は、１〜２段と２〜３段の連結部にいずれも本発明に係るロック装置１００を適用していてもよい。
【００４６】
図１２〜図１３は、本発明の他の実施例に係るロック装置を示すものであり、図１２は斜視図、図１３は緩み防止具を詳細に示した図面であり、図１４は、緩み防止具を適用して組み立てた状態の断面図である。
【００４７】
本実施例は、前述した実施例と比べて作動ピン３００の構成が異なり、作動ピン３００を保持する緩み防止具５００が付加された点が異なり、ヒンジピン３４０と固定ピン３５０ａの結合の構成が異なる。それ以外の構成は前述した実施例と同一であるため、詳細な説明は省略する。
【００４８】
緩み防止具５００は、上部ピン３１０にネジ結合された調節ネジ３２０を拘束することにより、使用中に振動等により調節ネジ３２０が緩んで作動ピン３００全体の長さが使用者の意思に反して増減される現象を防止するためのものである。
【００４９】
図１２に示されたところのように、緩み防止具５００は、把持用チューブ２００の下部押圧部２３４の上面に固定され、その内部に貫通する調節ネジ３２０の外周面を弾性力により保持し拘束するようになる。
【００５０】
このとき、調節ネジ３２０の外周には、別途の溝部３２６を形成して緩み防止具５００を容易に保持することができるようにしていてもよい。
【００５１】
緩み防止具５００が把持用チューブ２００の下部押圧部２３４の上面に固定される形態であり、本実施例においては、下部押圧部２３４の両横に緩み防止具５００の両側面が挿入される挿入顎部２３８が形成される。
【００５２】
本実施例のように緩み防止具５００を適用した場合には、調節ネジ３２０にあえてワッシャ３３０（図５及び図６参照）を介在せずともよい。
【００５３】
図１３に示されたところのように、緩み防止具５００は、ベース５１０と、前記ベース５１０の中間に形成されて、前記調節ネジ３２０の外周面を弾性加圧する複数の弾性片５２０を含む。弾性片５２０の弾性力を提供するために、弾性片５２０の一側には切欠孔５３０を形成していてもよい。
【００５４】
このような本実施例によれば、図１４に示されたところのように、上部ピン３１０にネジ結合された調節ネジ３２０の外周面を緩み防止具５００の複数の弾性片５２０が弾性加圧して調節ネジ３２０が任意に回転する現象を防止することができるので、使用者が調節ネジ３２０を調整しない限り、所定の長さに調節した状態を持続的に維持することができる。
【００５５】
一方、図１２及び図１４に示された実施例においては、上部ピン３１０と軸方向レバー４００をヒンジ結合するヒンジピン３４０に固定ピン３５０ａが強制圧入された構成を有する。
【００５６】
前述した実施例においては、図５及び図６において説明したように、ヒンジピン３４０に固定ネジ３５０をネジ結合した形態からなっているが、ネジ結合の代わりに、固定ピン３５０ａにヒンジピン３４０を強引に圧入して結合する等、多様な構成を採用することができることを示す。
【００５７】
以上においては、本発明の特定の好ましい実施例について図示し、かつ説明してきた。しかし、本発明は、上述した実施例に限定されず、特許請求の範囲において請求する本発明の要旨を超えることなく、本発明が属する技術分野における通常の知識を有する者であれば誰でも多様な変形実施が可能であろう。
【符号の説明】
【００５８】
２：上部連結管
４：下部連結管
１００：ロック装置
２００：把持用チューブ
２１０：胴部
２１２：切欠溝
２２０：上部弧形把持片
２２２：切開部
２２４，２３４：押圧部
２２６，２３６：貫通孔
２３０：下部弧形把持片
２３８：挿入顎部
３００：作動ピン
３１０：上部ピン
３１２：ヒンジ孔
３１４：ネジ部
３２０：調節ネジ
３２２：ネジ部
３２４：頭部
３２６：溝部
３４０：ヒンジピン
３５０：固定ネジ
３５０ａ：固定ピン
４００：軸方向レバー
４１０：押圧板
４２０：カム型ヒンジ部
４２２：カム面
４２４：結合孔
５００：緩み防止具
５１０：ベース
５２０：弾性片
５３０：切欠孔
【要約】      （修正有）【課題】軸方向レバー操作型ロック装置を具備する杖に関する。【解決手段】半径方向左右両側が切開部（２２２）として切開されて上部と下部にそれぞれ上部弧形把持片（２２０）と下部弧形把持片（２３０）が独立して形成され、上部弧形把持片（２２０）及び下部弧形把持片（２３０）それぞれの左右両側に押圧部（２２４，２３４）が外延されて、前記上部連結管（２）の端部に固定される把持用チューブ（２００）と前記上部弧形把持片（２２０）及び下部弧形把持片（２３０）の対向する左右両側の押圧部（２２４，２３４）にそれぞれ上下方向に貫通する形態で組み立てられる作動ピン（３００）及び、杖の長さ方向に延長される形態の押圧板（４１０）と、押圧板４１０の端部に形成されて前記左右作動ピン（３００）の上部突出端部に杖の長さ方向に回動される状態でヒンジ結合されるカム型ヒンジ部（４２０）を有する軸方向レバー（４００）を含む。【選択図】図４【図１】
0005343154.tif 000002
【図２】
0005343154.tif 000003
【図３】
0005343154.tif 000004
【図４】
0005343154.tif 000005
【図５】
0005343154.tif 000006
【図６】
0005343154.tif 000007
【図７】
0005343154.tif 000008
【図８】
0005343154.tif 000009
【図９】
0005343154.tif 000010
【図１０】
0005343154.tif 000011
【図１１】
0005343154.tif 000012
【図１２】
0005343154.tif 000013
【図１３】
0005343154.tif 000014
【図１４】
0005343154.tif 000015